(57)【要約】      （修正有）【課題】椅子の脚を強化するキャスター付折り畳み椅子の構造を提供する。【解決手段】主に一つの本体、一つの座面、一つの背もたれ部、複数の脚支持部材、複数のキャスター、二つの補強シート及び二つの強化構造で構成する。本体に含まれるのは第一、第二フレームであり、第一フレーム１１は第一足１１１を具有し、第二フレーム１２は第二足１２１を具有する。脚支持部材４０、４０’を第一足及び二つの第二足に設ける。キャスターを脚支持部材の底部に設ける。補強シート６０を第一足の内側に設け、且つ脚支持部材と間隔を空ける。強化構造７０を第一足に設け、且つ補強シートと脚支持部材の間に位置することで、第一足の強化していない部分の構造を強化する。ユーザーの体重が比較的重く、且つ長時間座っても、第一足は折れない。【選択図】図３
0003213334.tif 000002
【実用新案登録請求の範囲】
【請求項１】
一つの本体、一つの座面、一つの背もたれ部、複数の脚支持部材、複数のキャスター、二つの補強シート及び二つの強化構造を含み、
該本体に含まれるのは一つの第一フレーム及び一つの第二フレームであり、該第一フレームは二つの第一足を具有し、該第二フレームは二つの第二足を具有し、該二つの第二足はそれぞれ該二つの第一足に枢設し、
該座面を該本体に設け、
該背もたれ部を該本体に設け、
該複数の脚支持部材をそれぞれ該二つの第一足の底部及び該二つの第二足の底部に設け、
該複数のキャスターはそれぞれ回転できるように該複数の脚支持部材の底部に設け、
該二つの補強シートはそれぞれ該二つの第一足の内側に設け、且つ該二つの第一足の底部にある脚支持部材と少し距離があり、及び、
該二つの強化構造はそれぞれ該二つの第一足に設け、且つ該二つの補強シートと該二つの第一足の底部に設ける脚支持部材の間に位置することを特徴とする椅子の脚を強化するキャスター付折り畳み椅子の構造。
【請求項２】
該二つの強化構造にはそれぞれ一部分の構造が該二つの補強シートの部分構造と対応し、共に該二つの第一足を強化する部分構造及び、同時に該二つの強化構造はそれぞれ別の一部分の構造が該二つの第一足の底部の脚支持部材の部分構造と対応し、共に該二つの第一足を強化する部分構造を具有することを特徴とする請求項１記載の椅子の脚を強化するキャスター付折り畳み椅子の構造。
【請求項３】
前記各第一足に含まれるのは二つの巻辺及び一つの接続シートであり、各巻辺に一つの插孔(挿孔)を設け、該接続シートを該二つの巻辺の間に設け、各強化構造に含まれるのは一つの第一リブ及び一つの第二リブであり、該第一リブ及び該第二リブはそれぞれその中の一つの第一足の二つの巻辺の挿孔に設け、該第一リブ及び第二リブはそれぞれ各一部分の構造が上向きに、その中の一つの補強シートの部分構造の位置にまで延伸し、該補強シートの部分構造と共に該第一足の部分構造を強化し、該第一リブ及び該第二リブはそれぞれ別の一部分の構造が下向きに、該第一足の底部の脚支持部材の部分構造の位置にまで延伸し、該第一足の底部の脚支持部材の部分構造と共に該第一足の部分構造を強化することを特徴とする請求項２記載の椅子の脚を強化するキャスター付折り畳み椅子の構造。
【請求項４】
前記各第一足の底面は一つの斜面であるため、各第一足の該二つの巻辺の長さが異なり、長さが比較的長い巻辺は長巻辺と定義し、長さが比較的短い巻辺は短巻辺と定義し、該第一リブをその中の一つの第一足の長巻辺の挿孔に設け、該第二リブをその中の一つの第一足１１１の短巻辺の挿孔に設け、該第一リブの長さは該第二リブの長さより長いことを特徴とする請求項３記載の椅子の脚を強化するキャスター付折り畳み椅子の構造。
【請求項５】
前記各脚支持部材に含まれるのは一つの台座、一つの前凸出部、一つの後凸出部及び一つの接続部であり、該前凸出部は該台座の頂部の前側から上向きに延伸し、該後凸出部は該台座の頂部の後ろ側から上向きに延伸し、該接続部は該台座の頂部中央から上向きに後ろに向かって延伸し、且つ該内側に近い場所に一つのカット溝を開けることで、一つの大ブロック及び一つの小ブロックに分かれ、該接続部の延伸する長さは該前凸出部の延伸する長さ及び該後凸出部の延伸する長さより長く、該台座の頂部と該前凸出部及び該接続部で一つの前斜溝を形成し、該台座の頂部と該後凸出部及び該接続部で一つの後斜溝を形成し、その中、該長巻辺、該短巻辺と該接続シートで一つの溝を形成し、該接続シートを該カット溝に挿設し、該接続部の大ブロックは該溝に位置し、該接続部の小ブロックは該接続シートの内側に位置し、該長巻辺を該前斜溝に挿設し、該短巻辺を該後斜溝に挿設し、
その中、該第一リブ及び該第二リブはそれぞれ別の一部分の構造が下向きに、脚支持部材の接続部の位置にまで延伸し、該脚支持部材の接続部と共に該第一足の部分構造を強化することを特徴とする請求項４記載の椅子の脚を強化するキャスター付折り畳み椅子の構造。
【請求項６】
前記該第一リブの頂部と該第二リブの頂部を切りそろえることを特徴とする請求項４或いは請求項５記載の椅子の脚を強化するキャスター付折り畳み椅子の構造。
【請求項７】
前記該第一リブ及び該第二リブはいずれも金属柱状のものであることを特徴とする請求項３記載の椅子の脚を強化するキャスター付折り畳み椅子の構造。
【請求項８】
前記金属柱状のものは鉄柱とすることを特徴とする請求項７記載の椅子の脚を強化するキャスター付折り畳み椅子の構造。
【考案の詳細な説明】
【技術分野】
【０００１】
本考案は一種のキャスター付折り畳み椅子の構造に関し、特に椅子の脚を強化するキャスター付折り畳み椅子の構造に関する。
【背景技術】
【０００２】
キャスター付折り畳み椅子は収納及び運搬するのに大変便利な椅子である。図１及び図２を参照し、図１は従来技術のキャスター付折り畳み椅子の局部立体図である。図２は従来技術のキャスター付折り畳み椅子の局部正面透視図である。一般のキャスター付折り畳み椅子に含まれるのは一つの本体(図に未掲載)、一つの座面(図に未掲載)、一つの背もたれ(図に未掲載)、複数の脚支持部材Ａ３、複数のキャスターＡ４及び二つの補強シートＡ５である。本体に含まれるのは一つの第一フレーム及び一つの第二フレームであり、第一フレームに二つの第一足Ａ１１１を具有し、第二フレームに二つの第二足を具有し、該二つの第二足はそれぞれ該二つの第一足に枢設する。座面を本体に設置し、背もたれを本体に設置する。該複数の脚支持部材Ａ３をそれぞれ該二つの第一足Ａ１１１の底部及び該二つの第二足の底部に設ける。該複数のキャスターＡ４はそれぞれ回転できるよう、該複数の脚支持部材Ａ３の底部に設ける。該二つの補強シートＡ５をそれぞれ該二つの第一足Ａ１１１の内側に設け、且つ該二つの第一足Ａ１１１の底部にある脚支持部材Ａ３と少し距離を開ける。しかし、第一フレームの下方にキャスターＡ４があるため、第一フレームの耐える力がやや不足するために折れやすい。よって該二つの補強シートＡ５と該二つの第一足Ａ１１１の底部に設ける脚支持部材Ａ３を介し、該二つの第一足Ａ１１１の大部分の構造を強化する必要があり、第一フレームの耐える力を強める。
【０００３】
しかし、図２に示すように、該二つの補強シートＡ５と該二つの第一足Ａ１１１の底部に設ける脚支持部材Ａ３同士が少し距離が開いているため、該二つの第一足Ａ１１１は少なくとも一部分の構造が該二つの補強シートＡ５及び該二つの第一足Ａ１１１の底部に設ける脚支持部材Ａ３によって強化されておらず、そのため該二つの第一足Ａ１１１の最も弱い部位がＢである。従来技術のキャスター付折り畳み椅子の第一フレームの第一足Ａ１１１は全面的に強化することができず、また、第一フレームの下方にキャスターＡ４があるため、耐える力は少し高まるが、尚も不足する部分がある。仮にユーザーの体重が比較的重く、且つ長時間従来技術のキャスター付折り畳み椅子に座る場合、従来技術のキャスター付折り畳み椅子の第一フレームが前記第一足Ａ１１１の最も弱い部位Ｂで折れやすく、安全面に憂いが残ることを鑑みて、更に改善する必要があった。
【先行技術文献】
【特許文献】
【０００４】
【特許文献１】特開2010-94192号公報
【考案の概要】
【考案が解決しようとする課題】
【０００５】
前記公知構造の欠点を解決するため、本考案の第一足全体の構造を全面的に強化し、如何なる弱い部位がなく、第一フレームの耐える力を増す。例え第一フレームの下方にキャスターがあり、且つユーザーの体重が比較的重く、長時間本考案に座ったとしても、第一足は折れる状況が発生せず、本考案の安全性を高める椅子の脚を強化するキャスター付折り畳み椅子を提供することを主な課題とする。
【課題を解決するための手段】
【０００６】
前記課題を解決するために、本考案は椅子の脚を強化するキャスター付折り畳み椅子の構造を提供するものである。それに含まれるのは一つの本体、一つの座面、一つの背もたれ部、複数の脚支持部材、複数のキャスター、二つの補強シート及び二つの強化構造である。
【０００７】
本体に含まれるのは一つの第一フレーム及び一つの第二フレームであり、第一フレームは二つの第一足を具有し、第二フレームは二つの第二足を具有し、該二つの第二足はそれぞれ該二つの第一足に枢設する。
【０００８】
座面を本体に設ける
【０００９】
背もたれ部を本体に設ける。
【００１０】
該複数の脚支持部材をそれぞれ該二つの第一足の底部及び該二つの第二足の底部に設ける。
【００１１】
該複数のキャスターはそれぞれ回転できるように該複数の脚支持部材の底部に設ける。
【００１２】
該二つの補強シートはそれぞれ該二つの第一足の内側に設け、且つ該二つの第一足の底部にある脚支持部材と少し距離がある。
【００１３】
該二つの強化構造はそれぞれ該二つの第一足に設け、且つ該二つの補強シートと該二つの第一足の底部に設ける脚支持部材の間に位置する。
【００１４】
最良実施例として、該二つの強化構造にはそれぞれ一部分の構造が該二つの補強シートの部分構造と対応し、共に該二つの第一足を強化する部分構造及び、同時に該二つの強化構造はそれぞれ別の一部分の構造が該二つの第一足の底部の脚支持部材の部分構造と対応し、共に該二つの第一足を強化する部分構造を具有する
【００１５】
最良実施例として、各第一足に含まれるのは二つの巻辺及び一つの接続シートである。各巻辺に一つの挿孔を設ける。接続シートを該二つの巻辺の間に設け、各強化構造に含まれるのは一つの第一リブ及び一つの第二リブである。該第一リブ及び該第二リブはそれぞれその中の一つの第一足の二つの巻辺の挿孔に設ける。第一リブ及び第二リブはそれぞれ一部分の構造が上向きに、その中の一つの補強シートの部分構造の位置にまで延伸し、該補強シートの部分構造と共に該第一足の部分構造を強化する。第一リブ及び第二リブはそれぞれ別の一部分の構造が下向きに、該第一足の底部の脚支持部材の部分構造の位置にまで延伸し、該第一足の底部の脚支持部材の部分構造と共に該第一足の部分構造を強化する
【００１６】
最良実施例として、各第一足の底面は一つの斜面であるため、各第一足の該二つの巻辺の長さが異なり、長さが比較的長い巻辺は長巻辺と定義し、長さが比較的短い巻辺は短巻辺と定義する。第一リブをその中の一つの第一足の長巻辺の挿孔に設け、第二リブをその中の一つの第一足の短巻辺の挿孔に設け、第一リブの長さは第二リブの長さより長い。
【００１７】
最良実施例として、各脚支持部材に含まれるのは一つの台座、一つの前凸出部、一つの後凸出部及び一つの接続部である。前凸出部は台座の頂部の前側から上向きに延伸し、後凸出部は台座の頂部の後ろ側から上向きに延伸し、接続部は台座の頂部中央から上向きに後ろに向かって延伸し、且つ内側に近い場所に一つのカット溝を開けることで、一つの大ブロック及び一つの小ブロックに分かれる。接続部の延伸する長さは前凸出部の延伸する長さ及び後凸出部の延伸する長さより長く、台座の頂部と前凸出部及び接続部で一つの前斜溝を形成し、台座の頂部と後凸出部及び接続部で一つの後斜溝を形成する。その中、長巻辺、短巻辺と接続シートで一つの溝を形成する。接続シートをカット溝に挿設し、接続部の大ブロックは溝に位置し、接続部の小ブロックは接続シートの内側に位置し、長巻辺を前斜溝に挿設し、短巻辺を該後斜溝に挿設する。その中、第一リブ及び第二リブはそれぞれ別の一部分の構造が下向きに、脚支持部材の接続部の位置にまで延伸し、脚支持部材の接続部と共に該第一足の部分構造を強化する。
【００１８】
最良実施例として、第一リブの頂部と第二リブの頂部を切りそろえる。
【００１９】
最良実施例として、第一リブ及び第二リブはいずれも金属柱状のものである。
【００２０】
最良実施例として、前記金属柱状のものは鉄柱とする。
【考案の効果】
【００２１】
本考案は、該二つの強化構造は該二つの第一足が該二つの強化シート及び該二つの第一足の底部に設ける脚支持部材によって強化されていない部分の構造を強化することができるため、第一足全体の構造を全面的に強化し、如何なる弱い部位がなく、第一フレームの耐える力を増す。例え第一フレームの下方にキャスターがあり、しかもユーザーの体重が比較的重く、長時間本考案に座るとしても、第一足は折れる状況が発生することなく、本考案の安全性を高める。
【図面の簡単な説明】
【００２２】
【図１】従来技術のキャスター付折り畳み椅子の局部立体図である。
【図２】従来技術のキャスター付折り畳み椅子の局部正面透視図である。
【図３】本考案の椅子の脚を強化するキャスター付折り畳み椅子の全体立体図である。
【図４】本考案の椅子の脚を強化するキャスター付折り畳み椅子の局部立体図である。
【図５】本考案の椅子の脚を強化するキャスター付折り畳み椅子の局部立体分解図である。
【図６】本考案の椅子の脚を強化するキャスター付折り畳み椅子の局部立体断面図である。
【図７】本考案の椅子の脚を強化するキャスター付折り畳み椅子の局部正面分解図である。
【図８】本考案の椅子の脚を強化するキャスター付折り畳み椅子の第一足と脚支持部材の立体分解図である。
【図９】本考案の椅子の脚を強化するキャスター付折り畳み椅子の局部正面透視図である。
【考案を実施するための形態】
【００２３】
以下、本考案の構造と特徴および効果を、最良実施例と図面を参照しながら詳細に説明する。
【実施例】
【００２４】
図３から図９を参照し、図３は本考案の椅子の脚を強化するキャスター付折り畳み椅子の全体立体図である。図４は本考案の椅子の脚を強化するキャスター付折り畳み椅子の局部立体図である。図５本考案の椅子の脚を強化するキャスター付折り畳み椅子の局部立体分解図である。図６本考案の椅子の脚を強化するキャスター付折り畳み椅子の局部立体断面図である。図７本考案の椅子の脚を強化するキャスター付折り畳み椅子の局部正面分解図である。図８本考案の椅子の脚を強化するキャスター付折り畳み椅子の第一足と脚支持部材の立体分解図である。図９本考案の椅子の脚を強化するキャスター付折り畳み椅子の局部正面透視図である。本考案は椅子の脚を強化するキャスター付折り畳み椅子を提供し、それに含まれるのは一つの本体１０、一つの座面２０、一つの背もたれ部３０、複数の脚支持部材４０、４０’、複数のキャスター５０、５０’、二つの補強シート６０及び二つの強化構造７０である。
【００２５】
本体１０に含まれるのは一つの第一フレーム１１及び一つの第二フレーム１２である。第一フレーム１１は二つの第一足１１１を具有し、第二フレーム１２は二つの第二足１２１を具有する。該二つの第二足１２１はそれぞれ該二つの第一足１１１に枢設する。更に明確に記載すると、第一フレーム１１は更に一つの逆Ｕ字型フレーム１１２を含み、該二つの第一足１１１は該逆Ｕ字型フレーム１１２の両端から下向きに延伸する。第二フレーム１２は更に少なくとも一つの接続棒(図に未掲載)を含み、該二つの第二足１２１の間と接続する。図３に示すように、該二つの第二足１２１はそれぞれ該二つの第一足１１１の内側に枢設する。本実施例において、図４から図７に示すように、各第一足１１１に含まれるのは二つの巻辺１１１１、１１１２及び一つの接続シート１１１３である。各巻辺１１１１、１１１２に一つの插孔(挿孔)１１１４、１１１５を設け、接続シート１１１３を該二つの巻辺１１１１、１１１２の間に設ける。更に詳細に記載すると、各第一足１１１の底面は一つの斜面であるため、各第一足１１１の該二つの巻辺１１１１、１１１２の長さが異なる。長さが比較的長い巻辺１１１１は長巻辺と定義し、長さが比較的短い巻辺１１１２は短巻辺と定義する。長巻辺１１１１、短巻辺１１１２と接続シート１１１３で一つの溝１１１６を形成する。第二足１２１の構造と第一足１１１の構造は同じであるため、ここで再度言及しない。
【００２６】
座面２０を本体１０に設ける。図３に示すように、具体的に座面２０に含まれるのは一つの枠本体２１及び一つのシート２２である。枠本体２１を該二つの第二足１２１に枢設し、シート２２を枠本体２１に設ける。
【００２７】
背もたれ部３０を本体１０に設ける。図３に示すように、具体的に背もたれ部３０を逆Ｕ字型フレーム１１２の内側に設ける。
【００２８】
図３に示すように、該複数の脚支持部材４０、４０’をそれぞれ該二つの第一足１１１の底部及び二つの第二足１２１の底部に設ける。脚支持部材４０’の構造と脚支持部材４０は同じであるため、図４から図９は全て脚支持部材４０と表示し、脚支持部材４０’を表示していない。よって、以下の説明及び符号は全て脚支持部材４０をメインとすることを先にここで説明する。図４から図９に示すように、各脚支持部材４０に含まれるのは一つの台座４１、一つの前凸出部４２、一つの後凸出部４３及び一つの接続部４４である。前凸出部４２は台座４１の頂部の前側から上向きに延伸する。後凸出部４３は台座４１の頂部の後ろ側から上向きに延伸する。図５及び図６に示すように、接続部４４は台座４１の頂部中央から上向きに後ろに向かって延伸し、且つ該内側に近い場所に一つのカット溝４４１を開けることで、一つの大ブロック４４２及び一つの小ブロック４４３に分かれる。接続部４４の延伸する長さは前凸出部４２の延伸する長さ及び後凸出部４３の延伸する長さより長い。台座４１の頂部と前凸出部４２及び接続部４４で一つの前斜溝４５を形成し、台座４１の頂部と後凸出部４３及び接続部４４で一つの後斜溝４６を形成する。接続シート１１１３をカット溝４４１に挿設し、接続部４４の大ブロック４４２は溝１１１６に位置し、接続部４４の小ブロック４４３は接続シート１１１３の内側に位置する。長巻辺１１１１を前斜溝４５に挿設し、短巻辺１１１２を後斜溝４６に挿設する。これにより、該複数の脚支持部材４０の接続部４４が該二つの第一足１１１の底部構造を強化することができると同時に、該複数の脚支持部材４０’の接続部は該二つの第二足１２１の底部構造を強化することができる。
【００２９】
図３に示すように、該複数のキャスター５０、５０’はそれぞれ回転できるように該複数の脚支持部材４０、４０’の底部に設ける。更に詳細に記載すると、該複数のキャスター５０、５０’はそれぞれ回転できるよう、該複数の脚支持部材４０、４０’の台座の底部に設ける。使用する際、該複数のキャスター５０、５０’により、本考案は至る所に移動することができるほか、該複数のキャスター５０、５０’もまた該複数の脚支持部材４０、４０’の台座４１から取り外すことができ、該複数の脚支持部材４０、４０’の台座は直接地面と接触する。
【００３０】
図４、図８及び図９に示すように、該二つの補強シート６０はそれぞれ該二つの第一足１１１の内側に設け、且つ該二つの第一足１１１の底部にある脚支持部材４０、４０’と少し距離がある。よって、該二つの補強シート６０は該二つの第一足１１１の部分構造を強化することができる。
【００３１】
図３及び図４に示すように、該二つの強化構造７０はそれぞれ該二つの第一足１１１に設け、且つ該二つの補強シート６０と該二つの第一足１１１の底部に設ける脚支持部材４０、４０’の間に位置する。よって、該二つの強化構造７０は該二つの第一足１１１が該二つの強化シート６０及び該二つの第一足１１１の底部に設ける脚支持部材４０によって強化されていない部分の構造を強化することができるため、第一足１１１全体の構造を全面的に強化し、如何なる弱い部位がなく、第一フレーム１１の耐える力を増す。例え第一フレーム１１の下方にキャスター５０があり、しかもユーザーの体重が比較的重く、長時間本考案に座るとしても、該二つの第一足１１１は折れる状況が発生することなく、本考案の安全性を高める。
【００３２】
最良実施例として、該二つの強化構造７０にはそれぞれ一部分の構造が該二つの補強シート６０の部分構造と対応し、共に該二つの第一足１１１を強化する部分構造及び、同時に該二つの強化構造７０はそれぞれ別の一部分の構造が該二つの第一足１１１の底部の脚支持部材４０の部分構造と対応し、共に該二つの第一足１１１を強化する部分構造を具有する。図３から図９に示すように、本実施例において、各強化構造７０に含まれるのは一つの第一リブ７１及び一つの第二リブ７２である。第一リブ７１をその中の一つの第一足１１１の長巻辺１１１１の挿孔に設け、第二リブ７２をその中の一つの第一足１１１の短巻辺１１１２の挿孔１１１５に設ける。第一リブ７１及び第二リブ７２はそれぞれ一部分の構造が上向きに、その中の一つの補強シート６０の部分構造の位置にまで延伸し、該補強シート６０の部分構造と共に該第一足１１１の部分構造を強化する。第一リブ７１及び第二リブ７２はそれぞれ別の一部分の構造が下向きに、該第一足１１１の底部の脚支持部材４０の接続部４４の位置にまで延伸し、該第一足１１１の底部の脚支持部材４０の接続部４４と共に該第一足１１１の部分構造を強化する。よって、該二つの強化構造７０は該二つの補強シート６０及び該二つの第一足１１１の底部に設ける脚支持部材４０と共に第一足１１１全体の構造を強化できるほか、更にお互いの交わる場所の第一足１１１の構造強度を強化することができる。
【００３３】
最良実施例として、図７及び図９に示すように、第一リブ７１の長さは第二リブ７２の長さより長い。よって、該二つの強化構造７０は該二つの補強シート６０及び該二つの第一足１１１の底部に設ける脚支持部材４０が均等に共に第一足１１１の全体構造を強化することができ、比較的強化程度が不均等になる状況が発生しにくい。特に第一リブ７１の頂部と第二リブ７２の頂部を切りそろえた時の効果がベストである。
【００３４】
最良実施例として、第一リブ７１及び第二リブ７２はいずれも金属柱状のものであり、それにより該二つの強化構造７０は該二つの第一足１１１が該二つの補強シート６０及び該二つの第一足１１１の底部に設ける脚支持部材４０によって強化されていない部分構造を強化する効果を更にアップする。最良実施例において、前記金属柱状のものは鉄柱とするが、それに限られず、如何なる金属で作られた柱状のものは全て本考案の範囲に含まれることをここに説明する。
【００３５】
以上の説明は本考案の一つの実施例の詳細な説明であり、本考案の範囲を制限するものではない。本考案の範囲内にて行う変更や調整を行っても、本考案の重要な意義は失われず、本考案の範囲に含まれる。
【符号の説明】
【００３６】
１０ 本体
１１ 第一フレーム
１１１  第一足
１１１１  長巻辺
１１１２   短巻辺
１１１３ 接続シート
１１１４、１１１５ 挿孔
１１１６ 溝
１１２  逆Ｕ字型フレーム
１２   第二フレーム
１２１  第二足
２０  座面
２１  枠本体
４０、４０’   脚支持部材
４１  台座
４２   前凸出部
２２  シート
３０   背もたれ部
４３   後凸出部
４４   接続部
４４１  カット溝
４４２   大ブロック
４４３   小ブロック
４５   前斜溝
４６   後斜溝
５０、５０’   キャスター
６０   補強シート
７０   強化構造
７１   第一リブ
７２   第二リブ
Ａ１１１   第一足
Ａ３   脚支持部材
Ａ４   キャスター
Ａ５   補強シート
Ｂ   最も弱い部位
【図１】
0003213334.tif 000003
【図２】
0003213334.tif 000004
【図３】
0003213334.tif 000005
【図４】
0003213334.tif 000006
【図５】
0003213334.tif 000007
【図６】
0003213334.tif 000008
【図７】
0003213334.tif 000009
【図８】
0003213334.tif 000010
【図９】
0003213334.tif 000011